(57)【特許請求の範囲】
【請求項１】
緊急通報の発信を検出する検出部と、
通信相手に接続し、ＧＰＳ信号を受信した後に位置情報を送信する通信部と、
前記検出部により緊急通報の発信を検出した場合、メモリデバイスのクロック数の奇数倍が衛星測位システムにおける測位信号の搬送周波数と一致しないように選択したクロック数を前記メモリデバイスのクロック数に設定するクロック制御部と、
前記メモリデバイスのクロック数を設定した後、前記通信部により通信相手に接続をした状態で前記位置情報を送信するためにＧＰＳ信号を受信する受信部と
を備えることを特徴とする携帯端末。
【請求項２】
前記クロック制御部は、前記メモリデバイスのクロック数の奇数倍のみが前記衛星測位システムにおける測位信号の搬送周波数と一致しないように、クロック数を選択することを特徴とする請求項１に記載の携帯端末。
【請求項３】
前記クロック制御部が選択するためのクロック数は複数のクロック数を含み、
前記複数のクロック数は、前記メモリデバイスのクロック数に設定した場合に受信するＧＰＳ信号の信号品質を示すＣＮ比が大きいほど優先順位が小さくなるよう設定され、
前記クロック制御部は、
前記選択するクロック数として、前記複数のクロック数のうち前記優先順位が最も小さいクロック数を選択する請求項１または請求項２に記載の携帯端末。
【請求項４】
前記クロック制御部は、所定の期間、前記メモリデバイスに対して前記クロック数の設定を維持させ、前記期間の経過後、前記設定を解除する
ことを特徴とする請求項１乃至請求項３のいずれか一つに記載の携帯端末。
【請求項５】
前記メモリデバイスのクロック数を複数個、記憶している記憶部を含み、
前記クロック制御部は、前記記憶部に記憶されている複数のクロック数の中から、前記メモリデバイスのクロック数の奇数倍が前記搬送周波数と一致しないように、一つ又は複数のクロック数を選択する
ことを特徴とする請求項１、または請求項２、または請求項４に記載の携帯端末。
【請求項６】
前記クロック制御部は、複数の前記クロック数を選択する場合、複数の前記クロック数を用いて、可変的に、前記メモリデバイスのクロック数を設定する
ことを特徴とする請求項５に記載の携帯端末。
【請求項７】
前記クロック制御部は、前記メモリデバイスの選択した前記クロック数に対応するプロセッサのクロック数を選択し、前記プロセッサの選択した前記クロック数により、前記プロセッサのクロック数を設定する
ことを特徴とする請求項１乃至請求項６のいずれか一つに記載の携帯端末。
【請求項８】
緊急通報の発信を検出し、
通信相手に接続し、
緊急通報の発信を検出した場合、メモリデバイスのクロック数の奇数倍が衛星測位システムにおける測位信号の搬送周波数と一致しないように選択したクロック数を前記メモリデバイスのクロック数に設定し、
前記メモリデバイスのクロック数を設定した後、前記通信相手に接続した状態で、ＧＰＳ信号を受信する制御方法であって、
選択するためのクロック数は複数のクロック数を含み、
前記複数のクロック数は、前記メモリデバイスのクロック数に設定した場合に受信するＧＰＳ信号の信号品質を示すＣＮ比が大きいほど優先順位が小さくなるよう設定され、
前記選択するクロック数として、前記複数のクロック数のうち前記優先順位が最も小さいクロック数を選択する
ことを特徴とする制御方法。
【発明の詳細な説明】
【技術分野】
【０００１】
本発明は、緊急通報時に衛星測位システムを用いて所在地を特定する携帯端末の制御技術に関する。
【背景技術】
【０００２】
日本においては、電気通信事業者は、緊急通報を扱う際には、緊急通報を管轄する受理機関に対して、発信者の位置情報等を通知する機能を持つことを義務付けられている。緊急通報の番号は、１１０、１１８及び１１９であり、それぞれの受理機関は、警察、海上保安庁及び消防である。米国においても、緊急通報時に、通報者の所在地を特定する仕組みがある。
【０００３】
特許文献１によると、発信者の位置情報を取得する場合には、ＧＰＳ（Ｇｌｏｂａｌ  Ｐｏｓｉｔｉｏｎｉｎｇ  Ｓｙｓｔｅｍ）により取得された位置情報等が使用される。移動通信キャリアは、ＧＰＳ信号を受信することにより特定した携帯端末の位置情報を、緊急通報の受理機関に提供する。
【先行技術文献】
【特許文献】
【０００４】
【特許文献１】特開２００９−２２５０１５号公報
【特許文献２】特開２００９−００５１３５号公報
【発明の概要】
【発明が解決しようとする課題】
【０００５】
緊急通報が発信される場合、緊急通報を発信した携帯端末の位置を５０ｍ程度の精度で特定する必要がある。しかし、携帯端末内部のデジタル回路から発生するノイズを原因として、受信すべきＧＰＳ信号が劣化する場合がある。その結果、ＧＰＳによる測位精度が低くなるという問題がある。
このような問題を解決するため、本発明は、緊急通報時に衛星測位システムを用いて所在地を特定する場合に、受信すべき測位信号の劣化を防ぐことができる携帯端末及び制御方法を提供することを目的とする。
【課題を解決するための手段】
【０００６】
上記目的を達成するため、本発明の一態様は、携帯端末であって、緊急通報の発信を検出する検出部と、通信相手に接続し、ＧＰＳ信号を受信した後に位置情報を送信する通信部と、前記検出部により緊急通報の発信を検出した場合、メモリデバイスのクロック数の奇数倍が衛星測位システムにおける測位信号の搬送周波数と一致しないように選択したクロック数を前記メモリデバイスのクロック数に設定するクロック制御部と、前記メモリデバイスのクロック数を設定した後、前記通信部により通信相手に接続をした状態で前記位置情報を送信するためにＧＰＳ信号を受信する受信部とを備えることを特徴とする。
【発明の効果】
【０００７】
この態様によると、受信すべき測位信号の劣化を防ぐことができるという優れた効果を奏する。
【図面の簡単な説明】
【０００８】
【図１】本発明の一実施の形態としての携帯端末１００の外観斜視図である。
【図２】携帯端末１００のハードウェア構成を示すブロック図である。
【図３】携帯端末１００の機能構成を示すブロック図である。
【図４】クロックテーブル１５０のデータ構造の一例を示す。
【図５】ＣＰＵ１０１に設定されたクロック数及びＳＤＲＡＭ１０２に設定されたクロック数に応じて、発生するノイズレベル（実測値）を示す。
【図６】携帯端末１００の動作を示すフローチャートである。
【図７】携帯端末１００の別の動作を示すフローチャートである。
【図８】本発明の変形例としての携帯端末１００ａの外観斜視図である。
【発明を実施するための形態】
【０００９】
１．実施の形態
本発明の一実施の形態としての携帯端末１００について説明する。
携帯端末１００は、無線基地局、携帯電話網及び電話網を介して、他の電話機、携帯端末、携帯電話機等との間で、通話又は電子メールの送受信が可能となるように構成されている。携帯端末１００は、利用者により、緊急通報の発信の操作がされたとき、ＧＰＳを用いて携帯端末１００の所在地を特定する。次に、携帯端末１００は、特定した所在地を、緊急通報を管轄する受理機関へ通知する。
【００１０】
図１は、携帯端末１００の外観斜視図である。
テンキーを用いて、利用者が緊急通報の番号を入力すると、緊急通報の受理機関に対して発信がされる。こうして、利用者は、受理機関と通話することができる。この場合、米国やカナダでは、緊急通報は、テンキーを用いて、「９１１」を押下することにより、発信される。日本では、緊急通報は、テンキーを用いて、「１１０」、「１１８」又は「１１９」を押下することにより、発信される。
【００１１】
１．１  携帯端末１００
図２は、携帯端末１００のハードウェア構成を示すブロック図である。
携帯端末１００は、図２に示すように、ＣＰＵ（Ｃｅｎｔｒａｌ  Ｐｒｏｃｅｓｓｉｎｇ  Ｕｎｉｔ）１０１、ＳＤＲＡＭ  （Ｓｙｎｃｈｒｏｎｏｕｓ  Ｄｙｎａｍｉｃ  Ｒａｎｄｏｍ  Ａｃｃｅｓｓ  Ｍｅｍｏｒｙ）１０２、ＲＯＭ（Ｒｅａｄ  Ｏｎｌｙ  Ｍｅｍｏｒｙ）１０３、入出力制御部１０４、表示部１０５、入力受付部１０６、バス１０７、アンテナ１０８、ＧＰＳ回路１０９、音声制御部１１０、スピーカ１１１、マイク１１２、通信回路１１３、アンテナ１１４、クロック生成部１１５及びクロック生成部１１６から構成されている。
【００１２】
図３は、携帯端末１００の機能構成を示すブロック図である。
携帯端末１００は、図３に示すように、ＣＰＵ１０１、ＳＤＲＡＭ１０２、クロック生成部１１５、クロック生成部１１６、クロック制御部１２０、主制御部１２１、検出部１２２、記憶部１２３、入出力制御部１０４、表示部１０５、入力受付部１０６、アンテナ１０８、ＧＰＳ回路１０９、音声制御部１１０、スピーカ１１１、マイク１１２、通信回路１１３及びアンテナ１１４から構成されている。
【００１３】
クロック制御部１２０、主制御部１２１及び検出部１２２は、それぞれ、ＲＯＭ１０３に記憶されているコンピュータプログラムに従って、ＣＰＵ１０１が動作することにより、機能を達成する。記憶部１２３は、ＳＤＲＡＭ１０２及びＲＯＭ１０３により構成されている。
携帯端末１００は、通常、通信状況や処理状況に応じて、ＣＰＵ１０１のクロック数及びＳＤＲＡＭ１０２のクロック数を変更する。言い換えると、携帯端末１００は、ＣＰＵ１０１のクロック数及びＳＤＲＡＭ１０２のクロック数を可変的に設定する。
【００１４】
一方、緊急通報の発信を検出する場合、携帯端末１００は、ＳＤＲＡＭ１０２のクロック数の奇数倍がＧＰＳ周波数と一致しないように、ＳＤＲＡＭ１０２のクロック数及びこれに対応するＣＰＵ１０１のクロック数を選択する。携帯端末１００は、選択した両クロック数により、ＣＰＵ１０１のクロック数及びＳＤＲＡＭ１０２のクロック数を設定する。ここで、ＧＰＳ信号（測位信号とも呼ぶ）を搬送するための搬送波の周波数をＧＰＳ周波数又は搬送周波数と呼ぶ。その一つの周波数は、１５７５．４２ＭＨｚである。
【００１５】
（１）記憶部１２３
記憶部１２３は、図３に示すように、予めクロックテーブル１５０を保持している。
図４は、クロックテーブル１５０のデータ構造の一例を示す。
クロックテーブル１５０は、図４に示すように、複数のクロック情報を記憶するための領域を備えている。
【００１６】
各クロック情報は、番号、ＣＰＵクロック数、ＳＤＲＡＭクロック数、フラグ及び選択順位を含む。
番号は、当該クロック情報を識別するための識別情報である。
ＣＰＵクロック数は、ＣＰＵ１０１に設定されるべきクロック数を示す。
ＳＤＲＡＭクロック数は、ＳＤＲＡＭ１０２に設定されるべきクロック数を示す。
【００１７】
フラグは、ＳＤＲＡＭクロック数の奇数倍がＧＰＳ周波数と一致するか否かを示す。フラグ「０」は、ＳＤＲＡＭクロック数の奇数倍がＧＰＳ周波数と一致することを示す。フラグ「１」は、ＳＤＲＡＭクロック数の奇数倍がＧＰＳ周波数と一致しないことを示す。
フラグ「１」を含むクロック情報内のＣＰＵクロック数及びＳＤＲＡＭクロック数を用いると、ＳＤＲＡＭクロック数の奇数倍がＧＰＳ周波数と一致しない。このため、受信すべきＧＰＳ信号の劣化を防ぐことができる。
【００１８】
選択順位は、フラグ「１」を含む複数のクロック情報が存在する場合に、どのクロック情報を優先的に選択するかを示す。選択順位の値が小さいほど、優先的に選択されるべきことを示す。選択順位は、対応するＣＰＵクロック数及びＳＤＲＡＭクロック数に設定した場合に、受信するＧＰＳ信号の信号品質を示すＣＮ比に基づいて、設定されている。
ＣＮ比が大きいほど、小さい値が選択順位として設定される。また、ＣＮ比が小さいほど、大きい値が選択順位として設定される。
【００１９】
ここで、フラグ「１」を含むクロック情報を適合クロック情報又は適合組と呼ぶ場合がある。適合クロック情報又は適合組を用いることにより、受信すべきＧＰＳ信号の劣化を防ぐことができる。
クロックテーブル１５０は、一例として、クロック情報１５１、１５２及び１５３を含む。
【００２０】
クロック情報１５１は、番号「１」、ＣＰＵクロック数「１０９４ＭＨｚ」、ＳＤＲＡＭクロック数「６００ＭＨｚ」、フラグ「１」及び選択順位「１」を含んでいる。クロック情報１５１は、フラグ「１」及び選択順位「１」を含むので、緊急通報の発信があったときに、ＣＰＵクロック数「１０９４ＭＨｚ」及びＳＤＲＡＭクロック数「６００ＭＨｚ」による設定が最優先される。ＳＤＲＡＭクロック数「６００ＭＨｚ」の奇数倍がＧＰＳ周波数に一致することはない。
【００２１】
クロック情報１５２は、番号「２」、ＣＰＵクロック数「７８７ＭＨｚ」、ＳＤＲＡＭクロック数「４５０ＭＨｚ」、フラグ「１」及び選択順位「２」を含んでいる。ＳＤＲＡＭクロック数「４５０ＭＨｚ」の奇数倍がＧＰＳ周波数に一致することはない。また、クロック情報１５２は、選択順位「２」を含む。このため、緊急通報の発信があった場合であっても、ＣＰＵクロック数「７８７ＭＨｚ」及びＳＤＲＡＭクロック数「４５０ＭＨｚ」による設定はされない。
【００２２】
クロック情報１５３は、番号「３」、ＣＰＵクロック数「６００ＭＨｚ」、ＳＤＲＡＭクロック数「２２５ＭＨｚ」及びフラグ「０」を含んでいる。クロック情報１５３は、選択順位を含まない。クロック情報１５３は、フラグ「０」を含む。このため、緊急通報の発信があった場合に、ＣＰＵクロック数「６００ＭＨｚ」及びＳＤＲＡＭクロック数「２２５ＭＨｚ」による設定はされない。ＳＤＲＡＭクロック数「２２５ＭＨｚ」の７倍は、１５７５ＭＨｚであり、これは、ＧＰＳ周波数に近接しているからである。
【００２３】
（２）ＣＰＵ１０１、ＳＤＲＡＭ１０２、ＲＯＭ１０３及びバス１０７
ＣＰＵ１０１は、プログラムに従って動作することにより、様々な数値計算、情報処理、機器制御などを行う。ＣＰＵ１０１は、マイクロプロセッサから構成されている。ＣＰＵ１０１は、クロック生成部１１５からクロック信号を受け取り、受け取ったクロック信号に同期して動作する。
【００２４】
ＳＤＲＡＭ１０２は、クロック信号に同期して動作するＤＲＡＭ（Ｄｙｎａｍｉｃ  Ｒａｎｄｏｍ  Ａｃｃｅｓｓ  Ｍｅｍｏｒｙ）である。ＳＤＲＡＭ１０２は、ＣＰＵ１０１は、クロック生成部１１６からクロック信号を受け取る。
ＲＯＭ１０３は、読み出し専用の半導体メモリである。ＲＯＭ１０３は、様々なデータやコンピュータプログラムを記憶している。
【００２５】
バス１０７は、ＣＰＵ１０１、ＳＤＲＡＭ１０２、ＲＯＭ１０３、入出力制御部１０４、ＧＰＳ回路１０９、音声制御部１１０及び通信回路１１３を相互に接続する。
（３）クロック生成部１１５及びクロック生成部１１６
クロック生成部１１５は、クロック制御部１２０からＣＰＵ１０１に設定すべきクロック数を受け取る。次に、クロック生成部１１５は、受け取ったクロック数に基づいて、クロック信号を生成し、生成したクロック信号をＣＰＵ１０１に対して出力する。
【００２６】
クロック生成部１１６は、クロック生成部１１５と同様に、クロック制御部１２０からＳＤＲＡＭ１０２に設定すべきクロック数を受け取る。次に、クロック生成部１１６は、受け取ったクロック数に基づいて、クロック信号を生成し、生成したクロック信号をＳＤＲＡＭ１０２に対して出力する。
（４）表示部１０５、入力受付部１０６及び入出力制御部１０４
表示部１０５は、一例として、液晶ディスプレイである。表示部１０５は、入出力制御部１０４を介して、主制御部１２１の制御により、文字、数字、画像等を表示する。
【００２７】
入力受付部１０６は、一例として、テンキー、電源ボタン、その他のボタンを備える。各ボタンは、それぞれ、一つの操作を受け付けるために、利用者に押下されることにより、操作される。
各ボタンが操作されると、入力受付部１０６は、各ボタンに対する操作を示す操作信号を、入出力制御部１０４を介して、主制御部１２１に対して出力する。
【００２８】
入出力制御部１０４は、主制御部１２１から表示部１０５に対する情報の出力を中継する。また、入出力制御部１０４は、入力受付部１０６から主制御部１２１に対する情報の出力を中継する。
（５）主制御部１２１
主制御部１２１は、携帯端末１００を構成する他の構成要素を制御する。
【００２９】
主制御部１２１は、入出力制御部１０４から、利用者の操作を示す操作信号を受け取る。また、主制御部１２１は、入出力制御部１０４を介して、表示部１０５に対して、表示すべき情報を出力する。
主制御部１２１は、ＧＰＳ回路１０９に対して、携帯端末１００の現在の所在地を算出するように制御する。
【００３０】
主制御部１２１は、通信状況や処理状況に応じて、ＣＰＵ１０１のクロック数及びＳＤＲＡＭ１０２のクロック数を選択する。次に、主制御部１２１は、選択したＣＰＵ１０１のクロック数及びＳＤＲＡＭ１０２のクロック数に変更する要求をクロック制御部１２０に対して出力する。
（６）検出部１２２
検出部１２２は、主制御部１２１から、利用者の操作を示す操作信号を受け取る。
【００３１】
次に、検出部１２２は、受け取った操作信号が緊急通報の発信の操作を示すか、又は、その他の操作を示すか、を判断する。
緊急通報を示すと判断する場合、検出部１２２は、緊急通報の発信であることを示す通知を、主制御部１２１を介して、クロック制御部１２０及び通信回路１１３に対して出力する。
【００３２】
その他の操作を示すと判断する場合、検出部１２２は、その旨を示す通知を、主制御部１２１に対して出力する。
（７）クロック制御部１２０
クロック制御部１２０は、内部にタイマーを有する。
クロック制御部１２０は、主制御部１２１から、緊急通報の発信であることを示す通知を受け取る。緊急通報の発信であることを示す通知を受け取ると、クロック制御部１２０は、記憶部１２３に保持されているクロックテーブル１５０から、フラグ「１」を含むクロック情報を選択する。ここで、フラグ「１」を含むクロック情報を適合組又は適合クロック情報と呼ぶ場合がある。上述したように、フラグ「１」は、ＳＤＲＡＭクロック数の奇数倍がＧＰＳ周波数と一致しないことを示す。次に、クロック制御部１２０は、選択されたクロック情報から、最高の順位を含むクロック情報を選択する。次に、クロック制御部１２０は、選択したクロック情報を読み出す。
【００３３】
クロック制御部１２０は、内部に有するタイマーをリセットする。これにより、タイマーは、２０秒の経過の監視を開始する。タイマーによる監視の開始時点は、以下に説明するＣＰＵ１０１及びＳＤＲＡＭ１０２のクロック数を設定する時点と一致する。
クロック制御部１２０は、読み出したクロック情報に含まれるＣＰＵクロック数をクロック生成部１１５に対して出力する。また、クロック制御部１２０は、読み出したクロック情報に含まれるＳＤＲＡＭクロック数をクロック生成部１１６に対して出力する。クロック制御部１２０は、クロック生成部１１５に対して、ＣＰＵクロック数により、ＣＰＵ１０１のクロック数を設定するように制御する。また、クロック制御部１２０は、クロック生成部１１６に対して、ＳＤＲＡＭクロック数により、ＳＤＲＡＭ１０２のクロック数を設定するように制御する。
【００３４】
タイマーがリセットされた時点から、２０秒の時間、クロック制御部１２０は、ＣＰＵ１０１のクロック数及びＳＤＲＡＭ１０２のクロック数を固定的に維持するように制御する。このために、この２０秒の時間内に、主制御部１２１から、ＣＰＵ１０１のクロック数及びＳＤＲＡＭ１０２のクロック数を変更する要求を受け取った場合であっても、クロック制御部１２０は、この要求を拒否する。
【００３５】
２０秒の時間が経過した後、クロック制御部１２０は、設定を解除する。従って、この後、クロック制御部１２０は、主制御部１２１の制御により、ＣＰＵ１０１のクロック数及びＳＤＲＡＭ１０２のクロック数を可変的に設定することができる。
（８）ＧＰＳ回路１０９及びアンテナ１０８
ＧＰＳ回路１０９は、主制御部１２１の制御により、複数のＧＰＳ衛星から、アンテナ１０８を介して、１５７５．４２ＭＨｚの周波数の搬送波に乗せられたＧＰＳ信号を受信する。次に、ＧＰＳ回路１０９は、受信したＧＰＳ信号を用いて、携帯端末１００の現在の所在地を算出する。これにより、携帯端末１００の現在の所在地を示す位置情報が取得される。位置情報は、携帯端末１００の現在の所在地を示す経度情報及び緯度情報を含む。
【００３６】
次に、ＧＰＳ回路１０９は、主制御部１２１を介して、取得した位置情報を通信回路１１３に対して出力する。
（９）通信回路１１３及びアンテナ１１４
アンテナ１１４は、無線基地局との間で無線回線を介して無線信号を送受信する。
通信回路１１３は、アンテナ１１４により送受信される無線信号の周波数選択や周波数変換等を行う。また、通信回路１１３は、主制御部１２１との間で情報の送受信を中継する。
【００３７】
通信回路１１３は、主制御部１２１の制御により、通信相手に接続する。
通信回路１１３は、ＧＰＳ回路１０９から、主制御部１２１を介して、携帯端末１００の所在地を示す位置情報を取得する。通信回路１１３は、取得した位置情報を通信相手に送信する。
また、通信回路１１３は、通信相手との通話を可能とする。通信相手との通話が終了すると、通信回路１１３は、通話が終了したことを示す通知を主制御部１２１に対して出力する。
【００３８】
（１０）スピーカ１１１、マイク１１２及び音声制御部１１０
スピーカ１１１は、音声等の音響を出力する。
マイク１１２は、音声等の音響を入力する。
音声制御部１１０は、音声信号をスピーカ１１１に対して音響信号として出力する。また、マイク１１２により入力された音響信号を受け取る。
【００３９】
１．２  ノイズレベルの実測値
図５は、ＣＰＵ１０１に設定されたクロック数及びＳＤＲＡＭ１０２に設定されたクロック数を様々な値に変更した場合における、周波数毎のノイズレベル（実測値）の変化を示す。
図５に示すグラフ２００においては、横軸に、周波数（単位は、ＭＨｚ）を示し、縦軸にノイズレベル（単位は、ｄＢｍ）を示す。
【００４０】
グラフ２００において、ノイズ変化２０１は、ＣＰＵ１０１のクロック数を「１０９４ＭＨｚ」に設定し、ＳＤＲＡＭ１０２のクロック数を「６００ＭＨｚ」に設定した場合に、発生するノイズレベルの変化を示す。
ノイズ変化２０１において、ＳＤＲＡＭ１０２のクロック数「６００ＭＨｚ」の１倍の６００ＭＨｚの近辺、及び、「６００ＭＨｚ」の３倍の１８００ＭＨｚの近辺において、ピークがある。このように、ノイズ変化２０１において、ピークがあるのは、ＳＤＲＡＭ１０２のクロック数「６００ＭＨｚ」の奇数倍においてである。
【００４１】
ノイズ変化２０１において、ＧＰＳ周波数である１５７５．４２ＭＨｚの近辺に、ノイズ変化２０１のピークはない。このため、ＣＰＵ１０１のクロック数を「１０９４ＭＨｚ」に設定し、ＳＤＲＡＭ１０２のクロック数を「６００ＭＨｚ」に設定した場合に、受信すべきＧＰＳ信号の劣化は少ない。
また、グラフ２００において、ノイズ変化２０２は、ＣＰＵ１０１のクロック数を「７８７ＭＨｚ」に設定し、ＳＤＲＡＭ１０２のクロック数を「４５０ＭＨｚ」に設定した場合に、発生するノイズレベルの変化を示す。
【００４２】
ノイズ変化２０２において、ＳＤＲＡＭ１０２のクロック数「４５０ＭＨｚ」の３倍の１３５０ＭＨｚの近辺、及び、「４５０ＭＨｚ」の５倍の２２５０ＭＨｚの近辺において、ピークがある。このように、ノイズ変化２０２において、ピークがあるのは、ＳＤＲＡＭ１０２のクロック数「４５０ＭＨｚ」の奇数倍においてである。
ノイズ変化２０２において、ＧＰＳ周波数である１５７５．４２ＭＨｚの近辺に、ノイズ変化２０２のピークはない。このため、ＣＰＵ１０１のクロック数を「７８７ＭＨｚ」に設定し、ＳＤＲＡＭ１０２のクロック数を「４５０ＭＨｚ」に設定した場合に、受信すべきＧＰＳ信号の劣化は少ない。
【００４３】
さらに、グラフ２００において、ノイズ変化２０３は、ＣＰＵ１０１のクロック数を「６００ＭＨｚ」に設定し、ＳＤＲＡＭ１０２のクロック数を「２２５ＭＨｚ」に設定した場合に、発生するノイズレベルの変化を示す。
ノイズ変化２０３において、ＳＤＲＡＭ１０２のクロック数「２２５ＭＨｚ」の３倍の６７５ＭＨｚの近辺、「２２５ＭＨｚ」の５倍の１１２５ＭＨｚの近辺、「２２５ＭＨｚ」の７倍の１５７５ＭＨｚの近辺、及び、「２２５ＭＨｚ」の９倍の２０２５ＭＨｚの近辺において、ピークがある。このように、ノイズ変化２０３において、ピークがあるのは、ＳＤＲＡＭ１０２のクロック数「２２５ＭＨｚ」の奇数倍においてである。
【００４４】
ノイズ変化２０３において、ＧＰＳ周波数である１５７５．４２ＭＨｚの近辺に、ノイズ変化２０３のピークが発生している。このピークのノイズは、ＳＤＲＡＭ１０２のクロック数「２２５ＭＨｚ」の７倍高調波によるものである。このため、ＣＰＵ１０１のクロック数を「６００ＭＨｚ」に設定し、ＳＤＲＡＭ１０２のクロック数を「２２５ＭＨｚ」に設定した場合に、受信すべきＧＰＳ信号に劣化が発生すると推定される。
【００４５】
１．３  携帯端末１００の動作
図６は、携帯端末１００の動作を示すフローチャートである。
携帯端末１００の動作について、図６に示すフローチャートを用いて説明する。
検出部１２２は、利用者の操作を示す操作信号が緊急通報の発信の操作を示すか、その他の操作を示すかを判断する（ステップＳ１０１）。
【００４６】
その他の操作を示すと判断する場合（ステップＳ１０１で「その他」）、主制御部１２１は、その他の処理を行う（ステップＳ１０２）。次に、主制御部１２１は、ステップＳ１０１に戻って処理を繰り返す。
緊急通報を示すと判断する場合（ステップＳ１０１で「緊急通報」）、検出部１２２は、緊急通報の発信であることを示す通知を、主制御部１２１を介して、クロック制御部１２０及び通信回路１１３に対して出力する。クロック制御部１２０は、緊急通報の発信であることを示す通知を受け取ると、記憶部１２３のクロックテーブル１５０から、フラグが「１」であり、最高の順位を含むクロック情報を選択する。次に、選択したクロック情報を読み出す（ステップＳ１０３）。ここで、フラグ「１」は、ＳＤＲＡＭクロック数の奇数倍がＧＰＳ周波数（１５７５．４２ＭＨｚ）と一致しないことを示す。
【００４７】
次に、クロック制御部１２０は、内部に有するタイマーをリセットする。これにより、タイマーは、時間の経過の監視を開始する（ステップＳ１０４）。
タイマーによる監視の開始時点は、以下に説明するＣＰＵ１０１及びＳＤＲＡＭ１０２のクロック数を設定する時点と一致する。
クロック制御部１２０は、読み出したクロック情報に含まれるＣＰＵクロック数をクロック生成部１１５に対して出力する。また、クロック制御部１２０は、読み出したクロック情報に含まれるＳＤＲＡＭクロック数をクロック生成部１１６に対して出力する。クロック制御部１２０は、クロック生成部１１５に対して、ＣＰＵクロック数により、ＣＰＵ１０１のクロック数を設定するように制御する。また、クロック制御部１２０は、クロック生成部１１６に対して、ＳＤＲＡＭクロック数により、ＳＤＲＡＭ１０２のクロック数を設定するように制御する（ステップＳ１０５）。
【００４８】
ステップＳ１０５において、ＣＰＵ１０１及びＳＤＲＡＭ１０２のクロック数を設定した後、タイマーは、リセットされた時点から、２０秒の経過を監視する（ステップＳ１０６）。２０秒が経過しない場合には（ステップＳ１０６で「ＮＯ」）、タイマーは、ステップＳ１０６に戻って、処理を繰り返す。クロック制御部１２０は、２０秒が経過するまで、ＣＰＵ１０１及びＳＤＲＡＭ１０２のクロック数を設定の変更を受け付けない。これにより、クロック制御部１２０は、ＣＰＵ１０１及びＳＤＲＡＭ１０２のクロック数を固定的に設定する。
【００４９】
２０秒が経過した場合には（ステップＳ１０６で「ＹＥＳ」）、次に示すようにして、クロック制御部１２０は、ＣＰＵ１０１及びＳＤＲＡＭ１０２のクロック数の固定を解除し、クロック数を可変に設定する。主制御部１２１からクロック数の設定の指示を受け取った場合（ステップＳ１３１で「有り」）、指示に対応するクロック情報をクロックテーブル１５０から読み出す（ステップＳ１３２）。次に、クロック制御部１２０は、読み出したクロック情報に含まれるＣＰＵクロック数及びＳＤＲＡＭクロック数により、それぞれ、ＣＰＵ１０１のクロック数及びＳＤＲＡＭ１０２のクロック数を設定するように、クロック生成部１１５及びクロック生成部１１６を制御する。クロック生成部１１５及びクロック生成部１１６は、それぞれ、ＣＰＵ１０１のクロック数及びＳＤＲＡＭ１０２のクロック数を設定する（ステップＳ１３３）。主制御部１２１からクロック数の設定の指示を受け取らなかった場合（ステップＳ１３１で「無し」）、クロック制御部１２０は、何もしない。
【００５０】
ステップＳ１０５において、ＣＰＵ１０１及びＳＤＲＡＭ１０２のクロック数が設定された後、主制御部１２１は、ＧＰＳ回路１０９に対して、ＧＰＳ信号を受信するように、制御する。ＧＰＳ回路１０９は、アンテナ１０８を介して、ＧＰＳ信号を受信する（ステップＳ１０７）。ＧＰＳ回路１０９は、受信したＧＰＳ信号を用いて、携帯端末１００の現在の所在地を示す位置情報を算出する。これにより、携帯端末１００の所在地を特定する（ステップＳ１０８）。次に、ステップＳ１１１に制御を移す。
【００５１】
ステップＳ１０１において、緊急通報の発信であると判断された後、緊急通報の発信であることを示す通知を受け取ると、通信回路１１３は、通信相手に接続する（ステップＳ１１０）。
次に、通信回路１１３は、携帯端末１００の現在の所在地を示す位置情報を通信相手に送信する（ステップＳ１１１）。
【００５２】
次に、通信回路１１３、スピーカ１１１、マイク１１２、音声制御部１１０により、通信相手との通話が開始される（ステップＳ１１２）。
通話が終了すると（ステップＳ１１３）、主制御部１２１は、ステップＳ１０１に戻って処理を繰り返す。
１．４  まとめ
以上説明したように、クロック制御部１２０は、緊急通報の発信を検出した場合、一つの適合組（適合クロック情報）を選択する。適合組は、ＳＤＲＡＭ１０２のクロック数の奇数倍がＧＰＳ周波数と一致しないように、当該クロック数及び当該クロック数に対応するＣＰＵ１０１のクロック数を選択して得られるものである。こうして、選択された適合組に含まれるクロック数により、ＣＰＵ１０１のクロック数及びＳＤＲＡＭ１０２のクロック数が設定され、維持される。このため、ＳＤＲＡＭ１０２のクロック数の奇数倍がＧＰＳ周波数に一致することはない。従って、受信すべきＧＰＳ信号の劣化を防ぐことができる。
【００５３】
２．その他の変形例
携帯端末１００について、上記の実施の形態に基づいて説明しているが、上記の実施の形態に限定されない。以下に示すようにしてもよい。
（１）上記の実施の形態では、一つの適合組（適合クロック情報）を選択し、選択された適合組に含まれるクロック数により、ＣＰＵ１０１のクロック数及びＳＤＲＡＭ１０２のクロック数を設定し、維持している。しかし、これには限定されない。次に示すようにしてもよい。
【００５４】
複数の適合組が選択された場合に、クロック制御部１２０は、各適合組を用いて、可変的に、ＣＰＵ１０１のクロック数及びＳＤＲＡＭ１０２のクロック数を設定してもよい。
例えば、クロック制御部１２０は、緊急通報の発信を検出した場合、最初に、ＣＰＵ１０１のクロック数「１０９４ＭＨｚ」及びＳＤＲＡＭ１０２のクロック数「６００ＭＨｚ」を選択する。クロック制御部１２０は、ＣＰＵ１０１及びＳＤＲＡＭ１０２にこれらのクロック数を設定するよう制御する。
【００５５】
次に、クロック制御部１２０は、最初の設定から２０秒以内に、主制御部１２１から、ＣＰＵ１０１のクロック数「７８７ＭＨｚ」及びＳＤＲＡＭ１０２のクロック数「４５０ＭＨｚ」を設定するように、要求を受け取る。クロック制御部１２０は、この要求通りに、ＣＰＵ１０１及びＳＤＲＡＭ１０２に各クロック数を設定するよう制御する。
さらに、クロック制御部１２０は、最初の設定から２０秒以内に、主制御部１２１から、ＣＰＵ１０１のクロック数「１０９４ＭＨｚ」及びＳＤＲＡＭ１０２のクロック数「６００ＭＨｚ」を設定するように、要求を受け取る。クロック制御部１２０は、この要求通りに、ＣＰＵ１０１及びＳＤＲＡＭ１０２に各クロック数を設定するよう制御する。
【００５６】
また、クロック制御部１２０は、最初の設定から２０秒以内に、主制御部１２１から、ＣＰＵ１０１のクロック数「６００ＭＨｚ」及びＳＤＲＡＭ１０２のクロック数「２２５ＭＨｚ」を設定するように、要求を受け取る。この場合、クロック制御部１２０は、この要求を受け付けない。クロック制御部１２０は、この要求通りに、ＣＰＵ１０１及びＳＤＲＡＭ１０２に各クロック数を設定することはない。
【００５７】
図７は、上記の場合における携帯端末１００の動作を示すフローチャートである。
上記の場合における携帯端末１００の動作について、図７に示すフローチャートを用いて説明する。図７のフローチャートに示す動作は、図６のフローチャートに示す動作とほぼ同一である。ここでは、図６との相違点を中心として説明する。
図６との相違点は、ステップＳ１０６で「ＮＯ」と判断される場合である。以下において、ステップＳ１０６で「ＮＯ」と判断される場合を中心として、説明する。
【００５８】
タイマーは、リセットされた時点から、２０秒の経過を監視する（ステップＳ１０６）。２０秒が経過しない場合（ステップＳ１０６で「ＮＯ」）、主制御部１２１からクロック数の設定の指示を受け取らなかったとき（ステップＳ１２１で「無し」）、クロック制御部１２０は、何もしない。次に、クロック制御部１２０は、ステップＳ１０６へ制御を移す。
【００５９】
主制御部１２１からクロック数の設定の指示を受け取った場合（ステップＳ１２１で「有り」）、クロック制御部１２０は、指示に対応するクロック情報をクロックテーブル１５０から読み出す（ステップＳ１２２）。次に、クロック制御部１２０は、読み出したクロック情報からフラグを抽出し、抽出したフラグが「０」であるか、「１」であるかを判断する（ステップＳ１２３）。抽出したフラグが「０」である場合（ステップＳ１２３で「＝０」）、クロック制御部１２０は、何もしない。次に、クロック制御部１２０は、ステップＳ１０６へ制御を移す。
【００６０】
抽出したフラグが「１」である場合（ステップＳ１２３で「＝１」）、クロック制御部１２０は、読み出したクロック情報に含まれるＣＰＵクロック数及びＳＤＲＡＭクロック数により、それぞれ、ＣＰＵ１０１のクロック数及びＳＤＲＡＭ１０２のクロック数を設定するように、クロック生成部１１５及びクロック生成部１１６を制御する。クロック生成部１１５及びクロック生成部１１６は、それぞれ、ＣＰＵ１０１のクロック数及びＳＤＲＡＭ１０２のクロック数を設定する（ステップＳ１２４）。次に、クロック制御部１２０は、ステップＳ１０６へ制御を移す。
【００６１】
以上説明したようにして、複数の適合組が選択された場合に、クロック制御部１２０は、各適合組を用いて、可変的に、ＣＰＵ１０１のクロック数及びＳＤＲＡＭ１０２のクロック数を設定することができる。
（２）上記の実施の形態においては、携帯端末１００は、二つのクロック生成部１１５及び１１６を備えている。しかし、これには限定されない。
【００６２】
携帯端末１００は、二つのクロック生成部１１５及び１１６に代えて、一つのクロック生成部１１５ａを備えるとしてもよい。
クロック生成部１１５ａは、クロック制御部１２０からＣＰＵ１０１に設定すべきクロック数及びＳＤＲＡＭ１０２に設定すべきクロック数を受け取る。
クロック生成部１１５ａは、ＣＰＵ１０１に設定すべき受け取ったクロック数に基づいて、クロック信号を生成し、生成したクロック信号をＣＰＵ１０１に対して出力する。
【００６３】
また、クロック生成部１１５ａは、ＳＤＲＡＭ１０２に設定すべきクロック数に基づいて、クロック信号を生成し、生成したクロック信号をＳＤＲＡＭ１０２に対して出力する。
（３）上述の携帯端末１００に代えて、図８に示す携帯端末１００ａを用いるとしてもよい。図８は、携帯端末１００ａの外観斜視図である。
【００６４】
図８に示すように、携帯端末１００ａの正面において、表示面が露出するように、タッチパネルが配置されている。タッチパネルには、この図に示すように、複数のアイコンが表示されている。各アイコンは、携帯端末１００ａにおいて動作するアプリケーションプログラムを起動させるために用いられる。
タッチパネルに表示されているアイコン１６１は、緊急通報のために用いられるアイコンである。利用者の指先等の操作体がアイコン１６１に接触すると、緊急通報の受理機関に対して発信がされる。こうして、利用者は、受理機関と通話することができる。
【００６５】
（４）上記の実施の形態において、緊急通報が発信される場合に、ＳＤＲＡＭ１０２のクロック数がＧＰＳにおける測位信号の搬送周波数と一致しないように、ＳＤＲＡＭ１０２のクロック数を選択し、選択した当該クロック数により、ＳＤＲＡＭ１０２のクロック数を設定している。しかし、これには限定されない。
ＧＰＳによる測位の精度が要求される場合に、ＳＤＲＡＭ１０２のクロック数がＧＰＳにおける測位信号の搬送周波数と一致しないように、ＳＤＲＡＭ１０２のクロック数を選択し、選択した当該クロック数により、ＳＤＲＡＭ１０２のクロック数を設定してもよい。
【００６６】
（５）上記の実施の形態において、携帯端末の所在地を知るために、ＧＰＳを用いるとしている。ここで、ＧＰＳは、米国によって運用されている衛星測位システムである。米国により打ち上げられた約３０個のＧＰＳ衛星のうち、受信者の上空にある数個の衛星からの信号をＧＰＳ受信機で受け取り、受信者が自身の現在位置を知ることができる。しかし、携帯端末の所在地を知るために、ＧＰＳを用いることには限定されない。
【００６７】
その他の国や地域により運用されている衛星測位システムを用いて、携帯端末の所在地を知るとしてもよい。例えば、ＥＵにより運用が計画されているガリレオ（Ｇａｌｉｌｅｏ）やロシアにより運用されているＧＬＯＮＡＳＳを用いるとしてもよい。また、日本により運用が計画されている準天頂衛星システムを用いるとしてもよい。
ＧＰＳ、ガリレオ、ＧＬＯＮＡＳＳ及び準天頂衛星システム等を衛星測位システムと呼ぶ。携帯端末は、これらの衛星測位システムにおいて運用される複数の衛星から、各衛星測位システムに固有の周波数（搬送周波数と呼ぶ）の搬送波に乗せられた測位信号を受信する。受信した測位信号を用いて、携帯端末は、自身の現在の所在地を算出する。
【００６８】
（６）上述の携帯端末１００は、マイクロプロセッサとメモリデバイスとを備えたコンピュータシステムである。前記メモリデバイスは、コンピュータプログラムを記憶しており、前記マイクロプロセッサは、前記コンピュータプログラムに従って動作する。
ここで、コンピュータプログラムは、所定の機能を達成するために、コンピュータに対する指令を示す命令コードが複数個組み合わされて構成されたものである。
【００６９】
また、前記コンピュータプログラムは、コンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ブルーレィディスク、半導体メモリなどに記録されている、としてもよい。
また、前記コンピュータプログラムを、電気通信回線、無線又は有線通信回線、インターネットを代表とするネットワーク、データ放送等を経由して伝送するとしてもよい。
【００７０】
また、前記コンピュータプログラムを前記記録媒体に記録して移送する。又は、ネットワーク等を経由して、前記コンピュータプログラムを移送する。これにより、独立した他のコンピュータシステムにより実行する、としてもよい。
（７）上記実施の形態及び上記変形例をそれぞれ組み合わせる、としてもよい。
【産業上の利用可能性】
【００７１】
本発明にかかる携帯端末は、緊急通報時に衛星測位システムを用いて所在地を特定する場合に、受信すべき測位信号の劣化を防ぐことができるという優れた効果を奏する。このため、本発明は、緊急通報時に衛星測位システムを用いて所在地を特定する携帯端末における制御技術として有用である。
【符号の説明】
【００７２】
１００    携帯端末
１０１    ＣＰＵ
１０２    ＳＤＲＡＭ
１０３    ＲＯＭ
１０４    入出力制御部
１０５    表示部
１０６    入力受付部
１０７    バス
１０８    アンテナ
１０９    ＧＰＳ回路
１１０    音声制御部
１１１    スピーカ
１１２    マイク
１１３    通信回路
１１４    アンテナ
１１５    クロック生成部
１１６    クロック生成部
１２０    クロック制御部
１２１    主制御部
１２２    検出部
１２３    記憶部
【図１】
0006449568.tif 000002
【図２】
0006449568.tif 000003
【図３】
0006449568.tif 000004
【図４】
0006449568.tif 000005
【図５】
0006449568.tif 000006
【図６】
0006449568.tif 000007
【図７】
0006449568.tif 000008
【図８】
0006449568.tif 000009